(57)【要約】本発明は、第１電極（１）と、第２電極（２）と、これらの電極（1, 2）間に配置されたガス放電空間（10）とを備えるサージ保護素子（100）に関する。サージ保護素子（100）は、ガス放電空間（10）に配置され、かつ第１及び第２電極（1, 2）に対して絶縁された中間電極構造部（３）を更に備える。【選択図】図１
2017510943.tif 000002
【特許請求の範囲】
【請求項１】
第１電極（１）と、第２電極（２）と、これらの電極（1, 2）間に配置されたガス放電空間（10）とを備えるサージ保護素子（100）であって、
ガス放電空間（10）に配置され、かつ第１及び第２電極（1, 2）に対して絶縁された中間電極構造部（３）を更に備えるサージ保護素子。
【請求項２】
請求項１に記載のサージ保護素子（100）であって、第１電極（１）が、中央電極として構成され、第２電極（２）及び中間電極構造部（３）が、第１電極（１）に隣接して配置されているサージ保護素子。
【請求項３】
請求項１又は２に記載のサージ保護素子（100）であって、中間電極構造部（３）が、第１電極（１）を一定の間隔を置きつつ包囲しているサージ保護素子。
【請求項４】
請求項１〜３の何れか一項に記載のサージ保護素子（100）であって、ガス放電空間（10）が、中間電極構造部（３）により、互いにガス透過するように連通された複数のサブ空間（10A, 10B, 10C）に分割されているサージ保護素子。
【請求項５】
請求項１〜４の何れか一項に記載のサージ保護素子（100）であって、第１電極（１）、中間電極構造部（３）及び第２電極（２）が、互いに等間隔で配置されているサージ保護素子。
【請求項６】
請求項１〜５の何れか一項に記載のサージ保護素子（100）であって、第１及び第２電極（1, 2）が、軸線方向において互いにオフセットさせて配置されているサージ保護素子。
【請求項７】
請求項１〜６の何れか一項に記載のサージ保護素子（100）であって、中間電極構造部（３）が、サージ保護素子（100）の平面図で見て、互いに電気絶縁された複数の電極体（4，5）を含むサージ保護素子。
【請求項８】
請求項７に記載のサージ保護素子（100）であって、中間電極構造部（３）が、環状に構成された内側及び外側電極体（4，5）を含むサージ保護素子。
【請求項９】
請求項８に記載のサージ保護素子（100）であって、内側及び外側電極体（4，5）が、軸線方向において互いにオフセットさせて配置されているサージ保護素子。
【請求項１０】
請求項１〜９の何れか一項に記載のサージ保護素子（100）であって、少なくとも１つの半径方向当接面（13，14）を含む絶縁構造部（６）を備え、該絶縁構造部（６）が、第１及び／又は第２電極（1, 2）における半径方向面に当接しているサージ保護素子。
【請求項１１】
請求項１０に記載のサージ保護素子（100）であって、絶縁構造部（６）が、第１及び第２絶縁体（7，8）を含み、該絶縁体（7，8）が、半径方向当接面（11，12）及び軸線方向当接面により構成された当接段部（15，16）を有するサージ保護素子。
【請求項１２】
請求項１１に記載のサージ保護素子（100）であって、第１絶縁体（７）の当接段部（15）が、内側電極体（４）に当接し、第２絶縁体（８）の当接段部（16）が、外側電極体（５）に当接しているサージ保護素子。
【請求項１３】
請求項１１又は１２に記載のサージ保護素子（100）であって、第１絶縁体（７）が、環状に構成されると共に凹部（17）を有し、第１電極（１）が、凹部（17）内に延びているサージ保護素子。
【請求項１４】
請求項１１〜１３の何れか一項に記載のサージ保護素子（100）であって、第２絶縁体（８）が、軸線方向において第１電極（１）に対してオフセットさせて配置されているサージ保護素子。
【請求項１５】
請求項１〜１４の何れか一項に記載のサージ保護素子（100）であって、中間電極構造部（３）が、サージ保護素子（100）に印加されたサージによって生じるアーク電圧を増加させるサージ保護素子。
【発明の詳細な説明】
【技術分野】
【０００１】
本発明は、サージ保護素子に関する。
【発明の概要】
【発明が解決しようとする課題】
【０００２】
本発明の課題は、改良を加えたサージ保護素子を提供することである。
【課題を解決するための手段】
【０００３】
この課題は、独立請求項に記載の特徴を有するサージ保護素子により解決される。有利な実施形態及び構成については、従属請求項に記載したとおりである。
【０００４】
本発明に係るサージ保護素子、好適には、ガス放電管などのサージアレスタは、第１電極と、第２電極と、第１電極及び第２電極の間に配置されたガス放電空間とを備え、ガス放電空間に配置され、かつ第１及び第２電極に対して電気絶縁された中間電極構造部を更に備える。この場合にガス放電空間は、好適には、連続的な空間とする。好適には、サージ保護素子は更に、ガス放電空間でガス放電を生じさせることにより、第１電極及び第２電極の間で導電接続を可能にするように構成される。
【０００５】
有利には、ガス、例えば不活性ガスの放電を可能とするガス放電部及び／又はガス放電空間は、サージを減衰させるために設けられる。またサージ保護素子は、有利には更なる部品、例えば電子部品をサージから保護するために設けられる。サージとは、例えば電子部品に損傷又は破壊を生じさせ得るほどに大きな動作電圧又は閾値電圧のことを指す。特に本発明に係るサージ保護素子は、好適には、サージ保護素子に印加されたサージによって生じるアーク電圧を、従来技術のサージ保護素子に比べて、増加させるか又は特に大きくするよう構成される。アーク電圧を増加させれば、サージ保護素子における続流の消弧挙動が改善又は最適化される。
【０００６】
このような続流とは、ガス放電空間に存在するガスの点弧後又はアーク形成後に、第１電極及び第２電極の間で生じる電流のことを指す。電子部品内又は更なる電気システム内若しくはネットワーク内の特に内部抵抗が小さい場合、続流によりこれら部品に損傷が生じる可能性がある。
【０００７】
続流とは、サージ保護素子の電極に印加されたサージの減衰後に、アークが一定時間に亘って維持されることを指す。例えば、電子部品における供給電圧又は動作電圧がアーク電圧よりも小さければ、サージ保護素子がアーク電圧を自律的に消弧する。この理由により、アーク電圧を大きくすることが望ましい。
【０００８】
本発明の他の態様は、サージ保護素子を備える電子部品に関する。サージ保護素子は、特に電子部品をサージから保護するために設けられる。
【０００９】
好適な実施形態において、中間電極構造部は、サージ保護素子の平面図で見て、一定の間隔を置いて第１電極を包囲している。この構成により、サージ保護素子における特にアーク電圧を、例えば従来技術のサージ保護素子に比べて、増加させることが可能である。なぜなら、第１電極及び第２電極を同軸状及び同心状に配置すると共に、中間電極構造部を設けることにより、これら電極間の電気抵抗がアーク又はガス放電に際して増加するからである。
【００１０】
好適な実施形態において、第２電極及び／又は中間電極構造部は、環状に構成される。
【００１１】
第２電極及び中間電極構造部は、第１電極に対して同心状に配置することができる。この同心性とは、上述した各要素が共通の中心内又は中心に沿って配置されることを意味する。この場合に各要素は、中心に対して異なる間隔又は半径を有することができる。また中心とは、例えばサージ保護素子の平面図で見て、その重心又は質量中心を指す。
【００１２】
上述した同心状及び／又は回転対称状の配置は、中間電極構造部及び各電極間における多数の点弧又は点弧箇所を考慮すれば、中間電極構造部及び各電極間における電気抵抗を増加させるものであるため、サージ保護素子におけるアーク電圧も増加する。例えば、サージによるガス放電においては、第１電極及び中間電極構造部間におけるガス放電空間の少なくとも一部の電流が、中間電極構造部及び第２電極間の電流に対して、例えば90°で生じ得る。従って、全体的な電気抵抗が増加する。
【００１３】
好適な実施形態において、サージ保護素子は、主軸線を有する。この主軸線は、上述した中心を通過するのが好適である。
【００１４】
好適な実施形態において、第１電極は、サージ保護素子の中央電極として構成され、第２電極及び中間電極構造部は、第１電極に隣接して配置される。即ち、第２電極及び中間電極構造部は、好適には、サージ保護素子の平面図で見て、第１電極を包囲するように配置される。この構成により、上述したように、サージ保護素子における特にアーク電圧を増加させることができる。
【００１５】
第１電極及び第２電極は、好適には、サージ保護素子の主電極として構成される。この実施形態において、第１電極は、サージ保護素子の主軸線内に配置するのが有利である。
【００１６】
好適な実施形態においては、中間電極構造部により、ガス放電空間が互いにガス透過的に連通された複数のサブ空間に分割される。この場合の「ガス透過的」とは、中間電極構造部が配置されるにも関わらず、ガス放電空間が連続的な空間であることを意味する。従って、異なるサブ空間の間においては、例えばガスの相互作用が特に圧力変化及び温度変化により生じ得る。換言すれば、各サブ空間は気密化されない。この構成により、例えば互いに気密に分離された個別のガス放電管の直列接続に比べて、ガス放電空間内に配置されたガスの圧力、温度又は放電状態は、１つのサブ空間から隣接するサブ空間に有利に作用可能であり、及び／又は、ガスの圧力、温度又はイオン化状態によりサブ空間が有利に相互作用可能である。この構成とすれば、アーク電圧が増加するため、やはりサージ保護素子における続流の消弧挙動が改善される。
【００１７】
上述したように、中間電極構造部を配置すれば、アーク電圧の増加のみならず、サージ保護素子における点弧電圧の増加が生じる。これは、ガス放電空間をサブ空間に分割することにより、点弧経路における電気抵抗が増加するからである。ただし、ガス透過的に連通されたサブ空間における点弧電圧は、好適には、サージ保護素子が互いに気密化されたガス放電管又はガス空間による単なる直列接続の場合ほど増加することはない。例えば第１電極及び中間電極構造部間のサブ空間における放電が点弧された場合、このサブ空間におけるガスの圧力及び温度が増加するため、上述したガスの相互作用により、アークの形成及び／又は例えば中間電極構造部及び第２電極間のサブ空間における放電が生じ難くなるか又は好適には抑制される。
【００１８】
好適な実施形態において、中間電極構造部は、サージ保護素子に印加されたサージによって生じるアーク電圧を増加させる。
【００１９】
好適な実施形態において、第１電極、中間電極構造部及び第２電極は、互いに等間隔で配置される。この構成は、サージが生じた場合に各電極間におけるガス放電に関して有利である。特にこの構成により、第１電極及び中間電極構造部の間に生じるガス放電又はアークが、中間電極構造部及び第２電極の間に同一の確率で生じる。
【００２０】
好適な実施形態において、第１及び第２電極は、軸線方向において互いにオフセットさせて配置される。この構成及び／又は配置により、第１電極及び第２電極の相互間における電気絶縁が容易になる。
【００２１】
好適な実施形態において、中間電極構造部は、第１電極とはオーバーラップするが、第２電極とはオーバーラップしない軸線方向領域を含む。
【００２２】
好適な実施形態において、中間電極構造部は、第２電極とはオーバーラップするが、第１電極とはオーバーラップしない軸線方向領域を含む。
【００２３】
これら２つの構成により、有利には、第１及び第２電極、並びに中間電極構造部の相対的な配置が容易になり、及び／又は、これら要素における互いの間隔が規定される。これにより、第１及び第２電極間における電気絶縁が容易になる。
【００２４】
好適な実施形態において、中間電極構造部は、サージ保護素子の平面図で見て、互いに等間隔で配置され、かつ電気絶縁された複数の電極体を含む。この構成により、中間電極構造部に設けられる電極体の個数に応じて、アーク電圧を更に増加させることができ、及び／又は、サージ保護素子における続流の消弧挙動を改善することができる。この場合に各電極体は、好適には、環状に構成されると共に互いに電気的に分離される。
【００２５】
好適な実施形態において、中間電極構造部が含む電極体は２個のみとする。
【００２６】
好適な実施形態において、中間電極構造部は、環状に構成された内側及び外側電極体を含む。
【００２７】
好適な実施形態において、内側及び外側電極体は、軸線方向において互いにオフセットさせて配置される。この構成及び／又は配置により、内側電極体及び外側電極体の相互間における電気絶縁が容易になる。
【００２８】
好適な実施形態において、第１電極、内側電極体、外側電極体及び第２電極は、軸線方向においてこの順序で交互にオフセットさせて配置される。
【００２９】
好適な実施形態において、サージ保護素子は、絶縁構造部を備える。絶縁構造部は、第１及び／又は第２電極の半径方向面に当接する、少なくとも１つの半径方向当接面を含む。各半径方向当接面は、主軸線に規定される方向に延びているため、半径方向当接面の表面法線は、半径方向に配向される。
【００３０】
好適な実施形態において、絶縁構造部は、実質的に回転対称的な第１及び第２絶縁体を含む。各絶縁体は、半径方向当接面及び軸線方向当接面により構成された当接段部を有する。これら当接面は、好適には、これら当接面に当接している各要素の移動を制約するために構成される。また軸線方向当接面は、好適には、軸線方向当接面の表面法線がサージ保護素子の主軸線と平行になるように配向される。各絶縁体は、例えば固定手段又は類似の特徴などの僅かな違いを除き、回転対称的に構成するのが好適である。
【００３１】
好適な実施形態において、第１絶縁体の当接段部は内側電極体に当接し、第２絶縁体の当接段部は外側電極体に当接している。
【００３２】
本明細書の「当接」とは、互いに機械的に接触させた上述の各要素が移動はするが、好適には、互いに機械的に堅固には接続されず、従って各要素が一定の遊びを有することを意味する。この遊びに応じて、各要素について上述した間隔は異なり得る。
【００３３】
好適な実施形態において、第１絶縁体は、環状に構成されると共に凹部を有し、この凹部内に第１電極が延びている。
【００３４】
好適な実施形態において、第２絶縁体は、軸線方向において第１電極に対してオフセットさせて配置される。
【００３５】
好適な実施形態においては、第１絶縁体により、軸線方向における内側及び外側電極体のオフセット量が規定される。
【００３６】
好適な実施形態においては、第１絶縁体により、半径方向における内側電極体及び第１電極の間隔が規定される。
【００３７】
好適な実施形態において、第２絶縁体により、軸線方向における内側及び外側電極体のオフセット量が規定される。
【００３８】
好適な実施形態において、第２絶縁体により、半径方向における外側電極体及び第２電極の間隔が規定される。
【００３９】
好適な実施形態において、絶縁構造部の第１絶縁体及び第２絶縁体を配置すれば、半径方向における内側電極体及び外側電極体の間隔が規定される。
【００４０】
有利には、これら７通りの実施形態により、第１電極、内側電極体、外側電極体及び第２電極の相互間における電気絶縁が容易になる。
【００４１】
絶縁構造部又は絶縁体を、電極又は中間電極構造部に当接させるだけで間隔を規定すれば、上述した連続的なガス放電空間を有利に構成することができる。この構成であれば、個々のサブ空間の間が分離されないため、ガス透過的な連通状態が維持される。
【００４２】
好適な実施形態において、第１電極及び内側電極体の間隔、内側電極体及び外側電極体の間隔、及び／又は、外側電極体及び第２電極の間隔は、それぞれ、0.5 mm〜0.8 mmとする。
【００４３】
本発明の他の利点及び有利な構成は、図面に示す実施形態に関連して後述するとおりである。
【００４４】
なお、構成又は機能が同一又は同等の要素は、図面において同一参照符号で表されている。図面における各要素の寸法比は実寸を反映するものではなく、明瞭性を高めるために及び／又は理解を容易にするために誇張して表されている。
【図面の簡単な説明】
【００４５】
【図１】例示的な構成に係るサージ保護素子の要部を示す断面図である。
【図２】サージ保護素子の要部を示す線図的な平面図である。
【発明を実施するための形態】
【００４６】
図１は、サージ保護素子100の例示的な構成の断面を示す。サージ保護素子100は、ハウジング20を備える。ハウジング20は、好適には電気絶縁されている。
【００４７】
サージ保護素子100は、好適には、例えば電子部品（図示せず）を保護するために設けられる。
【００４８】
サージ保護素子100は、第１電極１を備える。第１電極１は、好適には、中央電極又は中心電極として機能する。サージ保護素子100は更に、第１電極の中央部を通過する主軸線Ｘを有する。サージ保護素子100は更に、第２電極２を備える。第１電極１及び第２電極２は、サージ保護素子100の主電極として構成するのが好適である。第２電極２は、サージ保護素子100の平面図（図２参照）で見て、第１電極１に対して同心状に配置されるか又は第１電極１を包囲するように配置されている（図２参照）。第２電極２は更に、第１電極１に対して電気絶縁されると共に、環状に構成されるのが好適である。
【００４９】
サージ保護素子100は、例えば上側及び下側に、第１及び第２電極1, 2に電気接触するための電気接点（図示せず）を備えることができる。
【００５０】
サージ保護素子100は更に、第１電極１及び第２電極２の間に配置されたガス放電空間10を備える。ガス放電空間10は、好適には、第１電極１及び第２電極２が軸線方向において互いにオーバーラップすることにより形成又は規定されるものである。第１及び第２電極1, 2は、軸線方向において互いにオフセットさせて配置されている。
【００５１】
中間電極構造部３は、好適には、第１電極１とはオーバーラップするが、第２電極２とはオーバーラップしない軸線方向領域を含むと共に、第２電極２とはオーバーラップするが、第１電極１とはオーバーラップしない軸線方向領域を含む。
【００５２】
サージ保護素子100は更に、ガス放電空間10に配置された中間電極構造部３を備える。中間電極構造部３は、好適には、一定の間隔を置いて第１電極１を包囲している。中間電極構造部３は、内側電極体４及び外側電極体５を含む。代替的に、中間電極構造部３は、例えば同心状に配置され、かつ互いに電気的に分離された更なる電極体を含んでいてもよい。内側電極体４及び外側電極体５は、サージ保護素子100の平面図で見て、好適には、第１電極１及び／又は第２電極２に対して同心状に配置されるか又は例えば第１電極１を包囲するように配置されている。これら内側電極体４及び外側電極体５は、やはり互いに電気絶縁されると共に、環状に構成されるのが好適である。
【００５３】
内側電極体４及び外側電極体５は更に、軸線方向において互いにオフセットさせて配置されているが、オーバーラップする領域を有する。第１電極１、内側電極体４、外側電極体５及び第２電極２は、軸線方向においてこの順序で交互にオフセットさせて配置されている（即ち、図１の上部から下部に向けてオフセットさせている）。
【００５４】
サージ保護素子100は更に、第１電極１に対して同心状又は同軸状に配置された絶縁構造部６を備える。この絶縁構造部６は、環状に構成された第１絶縁体７を含む。第１絶縁体７は凹部17を有しており、第１電極１がこの凹部17内に延びている。絶縁構造部６は更に、第２絶縁体８を含む。第１絶縁体８は、第１電極１に対してオフセットさせて配置されることにより、これら要素が軸線方向においてオーバーラップすることがない。
【００５５】
全体として、中間電極構造部３の内側電極体４及び外側電極体５、並びに第２電極２は、第１電極１周りに第１電極１に対して同心状にオフセットさせて配置されている。中間電極構造部３の配置により、ガス放電空間10は、互いにガス透過するように連通された又はガスが相互作用するように連通された複数のサブ空間10A, 10B, 10Cに分割されている。
【００５６】
第１絶縁体７は、第１絶縁体７又は第１環状体７の内側を画定する半径方向当接面14を有する。この半径方向当接面14により、第１絶縁体７が第１電極１の半径方向外面（明示せず）に当接している。
【００５７】
第２絶縁体８は、第２絶縁体８の外側を画定する半径方向当接面13を有する。この半径方向当接面13により、第２絶縁体８が第２電極２の半径方向内面（明示せず）に当接している。
【００５８】
第１絶縁体７は更に、内側当接段部15を含む。当接段部15は、半径方向当接面11を有すると共に、段部を形成するために軸線方向当接面（明示せず）を有する。これに対して絶縁体８は、外側当接段部16を含む。この当接段部16は、半径方向当接面12を有すると共に、段部を形成するためにやはり軸線方向当接面（明示せず）を有する。
【００５９】
好適には、絶縁構造部６、特に第１絶縁体７及び第２絶縁体８は、上述した当接面及び当接段部により、第１電極１、第２電極２及び中間電極構造部３の間隔を規定し、これら要素を互いに電気絶縁している。
【００６０】
絶縁体７の当接面11，14及び／又は当接段部15により、好適には、軸線方向における内側及び外側電極体4，5のオフセット量、並びに第１電極１及び内側電極体４の間の半径方向間隔が規定される。更に、第２絶縁体８の当接面12，13及び／又は当接段部16により、軸線方向における内側及び外側電極体4，5のオフセット量、並びに第２電極２及び外側電極体５の間の半径方向間隔が規定される。
【００６１】
更に、絶縁構造部６の第１絶縁体７及び第２絶縁体８の配置により、内側電極体４及び外側電極体５の半径方向間隔（図１のＡ参照）が規定される。
【００６２】
例えば、内側電極体４は、サージ保護素子100のアセンブリに際して、第１絶縁体７に配置可能及び／又は第１絶縁体７に係合可能であるため、例えば内側電極体４及び第１電極１間における電気絶縁のための半径方向間隔が規定される。更に、好適には、第２絶縁体８は環状の第２電極２内に嵌め込まれ、また外側電極体５は第２絶縁体８の当接段部16周りに配置されるため、外側電極体５及び内側電極体４間、並びに外側電極体５及び第２電極２間における電気絶縁のための半径方向間隔が規定される。
【００６３】
このように、半径方向間隔を規定する場合、絶縁構造部６は、第１電極１、中間電極構造部３及び第２電極２と接触させるが、その際に機械的に堅固に接続されることはない。
【００６４】
第１電極１、内側電極体４、外側電極体５及び第２電極２は、好適には、同心状に配置されると共に、半径方向（即ち、図１で水平方向）において互いに等間隔で配置されている。その間隔は、0,5 mm〜0,8 mmとする。
【００６５】
代替的に、第１電極１と内側電極体４の間隔、内側電極体４と外側電極体５の間隔、及び／又は外側電極体５と第２電極２の間隔は、互いに異ならせてもよい。
【００６６】
サージ保護素子100及び／又はサージ保護素子100の各要素は、例えば主軸線Ｘに対して少なくともほぼ回転対称的に構成されている。
【００６７】
図２は、サージ保護素子100又は第１電極１、第２電極２及び中間電極構造部３を概略平面的に示す。図２は更に、第１電極１及び中間電極構造部３の間に形成された第１アークL1と、中間電極構造部３及び第２電極２の間に形成された第２アークL2を示す。アークL1, L2は、例えば電極1，2の間でサージ保護素子100に印加されたサージにより形成され得るものである。図２に明示されているように、アークL1, L2によって表される電流は、互いに例えば90°を超える大角度で形成されている。これにより、放電経路全体における特に電気抵抗が増加し、サージ保護素子100におけるアーク電圧が有利に増加する。
【００６８】
代替的な実施形態において、サージ保護素子100は、第１電極１、中間電極構造部３及び第２電極２を上述したように同心状又は同軸状に配置する代わりに、直線状に配置して構成してもよい。これにより、サージ保護素子100において、アーク電圧がやはり有利に増加する。
【００６９】
本発明は、上述した実施形態の記載に限定されるものではなく、特に特許請求の範囲に記載された特徴及びその任意の組み合わせを包含するものである。この点は、これら特徴及びその任意の組み合わせが特許請求の範囲又は実施形態に明記されていなくても当てはまる。
【符号の説明】
【００７０】
１                   第１電極
２                   第２電極
３                   中間電極構造部
４                   内側電極体
５                   外側電極体
６                   絶縁構造部
７                   第１絶縁体
８                   第２絶縁体
10                   ガス放電空間
10A，10B，10C        サブ空間
11，12，13，14       半径方向当接面
15，16               当接段部
17                   凹部
20                   ハウジング
100                  サージ保護素子100
Ｘ                   主軸線
【図１】
2017510943.tif 000003
【図２】
2017510943.tif 000004
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
第１電極（１）と、第２電極（２）と、これらの電極（1, 2）間に配置されたガス放電空間（10）とを備えるサージ保護素子（100）であって、
・ガス放電空間（10）に配置され、かつ第１及び第２電極（1, 2）に対して絶縁された中間電極構造部（３）を更に備え、
・中間電極構造部（３）が、サージ保護素子（100）の平面図で見て、互いに電気絶縁された複数の電極体（4，5）を含み、
・中間電極構造部（３）が、環状に構成された内側及び外側電極体（4，5）を含み、
・内側及び外側電極体（4，5）が、軸線方向において互いにオフセットさせて配置されているサージ保護素子。
【請求項２】
請求項１に記載のサージ保護素子（100）であって、第１電極（１）が、中央電極として構成され、第２電極（２）及び中間電極構造部（３）が、第１電極（１）に隣接して配置されているサージ保護素子。
【請求項３】
請求項１又は２に記載のサージ保護素子（100）であって、中間電極構造部（３）が、第１電極（１）を一定の間隔を置きつつ包囲しているサージ保護素子。
【請求項４】
請求項１又は２に記載のサージ保護素子（100）であって、ガス放電空間（10）が、中間電極構造部（３）により、互いにガス透過するように連通された複数のサブ空間（10A, 10B, 10C）に分割されているサージ保護素子。
【請求項５】
請求項１又は２に記載のサージ保護素子（100）であって、第１電極（１）、中間電極構造部（３）及び第２電極（２）が、互いに等間隔で配置されているサージ保護素子。
【請求項６】
請求項１又は２に記載のサージ保護素子（100）であって、第１及び第２電極（1, 2）が、軸線方向において互いにオフセットさせて配置されているサージ保護素子。
【請求項７】
請求項１に記載のサージ保護素子（100）であって、少なくとも１つの半径方向当接面（13，14）を含む絶縁構造部（６）を備え、該絶縁構造部（６）が、第１及び／又は第２電極（1, 2）における半径方向面に当接しているサージ保護素子。
【請求項８】
請求項７に記載のサージ保護素子（100）であって、絶縁構造部（６）が、第１及び第２絶縁体（7，8）を含み、該絶縁体（7，8）が、半径方向当接面（11，12）及び軸線方向当接面により構成された当接段部（15，16）を有するサージ保護素子。
【請求項９】
請求項８に記載のサージ保護素子（100）であって、第１絶縁体（７）の当接段部（15）が、内側電極体（４）に当接し、第２絶縁体（８）の当接段部（16）が、外側電極体（５）に当接しているサージ保護素子。
【請求項１０】
請求項８又は９に記載のサージ保護素子（100）であって、第１絶縁体（７）が、環状に構成されると共に凹部（17）を有し、第１電極（１）が、凹部（17）内に延びているサージ保護素子。
【請求項１１】
請求項８又は９に記載のサージ保護素子（100）であって、第２絶縁体（８）が、軸線方向において第１電極（１）に対してオフセットさせて配置されているサージ保護素子。
【請求項１２】
請求項１又は２に記載のサージ保護素子（100）であって、中間電極構造部（３）が、サージ保護素子（100）に印加されたサージによって生じるアーク電圧を増加させるサージ保護素子。
【国際調査報告】
2017510943.tif 000005
2017510943.tif 000006
2017510943.tif 000007
2017510943.tif 000008